(57)【要約】【課題】頻発する足関節の内反捻挫から生じる前距腓靭帯損傷部を回復させ、歩行時の安定性を確保し歩行を支援する。【解決手段】本発明は、伸縮自在の足首保護帯１裏面に長手方向に横非伸縮布部３を配置し、他端に衝撃吸収材料のパッド４を設け端非伸縮布部５で被い、足首保護帯１に設けた二つの横非伸縮布部３と端非伸縮布部５間の上部にダーツ６を入れ、足首保護帯１に伸縮自在の足裏保護帯２をＴ字に連結し足裏保護帯２のＴ字連結部７と、その下端部に二か所の弾力性伸縮材９を取り付け足裏保護帯２中央部に縦非伸縮布部８を設け二か所の弾力性伸縮材９の両端を被い、足裏保護帯２裏面の端部及び足首保護帯１の端部に面ファスナー１０を設けた背屈運動を促す足関節矯正保護バンドを設けたことを特徴とする。【選択図】図１
2005087708.tif 000002
【特許請求の範囲】
【請求項１】
伸縮自在の足首保護帯裏面に長手方向に横非伸縮布部を配置し、他端に衝撃吸収材料のパッドを設け端非伸縮布部で被い、足首保護帯に設けた二つの横非伸縮布部と端非伸縮布部間の上部にダーツを入れ、足首保護帯に伸縮自在の足裏保護帯をＴ字に連結し足裏保護帯のＴ字連結部と、その下端部に二か所の弾力性伸縮材を取り付け足裏保護帯中央部に縦非伸縮布部を設け二か所の弾力性伸縮材の両端を被い、足裏保護帯裏面の端部及び足首保護帯の端部に面ファスナーを設けた背屈運動を促す足関節矯正保護バンド。
【発明の詳細な説明】
【技術分野】
【０００１】  本発明は、歩行が容易な背屈運動を促す足関節矯正保護バンドに関するものである。
【背景技術】
【０００２】  装具療法は運動器官である靭帯、腱の保護や補助または除痛を目的にしている。その重要性は投薬療法や固定包帯及びテーピングの効果に限界がある事からますます高まっている。図４において、下腿部を支持する硬質の第一支持プレート及びこれに対して屈曲及び伸展可能に連結される第二支持プレートからなる一対のシェルを設けている。また、第一支持プレートの内面にに付けられた軟質の第一パッドと、第二支持プレート内面の軟質の第二パッドと、第一支持プレートを下腿部に固定するバンドとを備え、第二支持プレートは下腿に靴の側面と連結可能であり実用上十分であった。【０００３】  しかし、足関節保護装置は装具の継手が一軸のものが大半である。足関節の生理軸は単なる一軸ではなく、歩行状態により軟部組織または関節（骨形状）の変化がおこるため、関節軸が変化し装具との間にずれが生じフイット性及び運動追従性が悪く、また、捻挫の治癒力を高めるバンドによる靭帯損傷部の圧迫保護をする考え方がなく、さらに、下腿下部をバンドで螺旋状に固定し足関節の背屈、底屈運動が阻害されるので十分に対応する必要がある。図１は背屈運動を促す足関節矯正保護バンドを示したものであり、９は弾力性伸縮材、４は衝撃吸収材料のパッドを表す。このように足関節の生理軸と装具の機械軸の乖離や、バンドによる靭帯損傷部の圧迫保護の考え方がないという欠点があった。【０００４】  足関節捻挫の治療や再発防止の用途において、この欠点は大きな傷害である。具体的には足関節の外果・内果の前下方にある前距腓靭帯損傷部の圧迫保護が不十分で、靭帯の延長から生じる腫脹、疼痛を和らげることができず、また、体重荷重時のアキレス腱への衝撃緩和もできないなどの問題があった。【０００５】  この改善策として、足関節矯正保護バンドを収縮部と固定部に機能分担し足関節の生理軸と装具の機械軸を一致させる方法がある。
【図２】
はこの方法による背屈運動を促す足関節矯正保護バンドの実施例を示す側面図である。バンドのずれを防ぎフイット性及び運動追従性を改善し、また、足関節の外果・内果の前下方にある前距腓靭帯損傷部を弾力性伸縮材で圧迫保護し、脆弱化した靭帯の延長を防ぎ疼痛、腫脹を和らげ、また、体重荷重時のアキレス腱の圧縮を衝撃吸収材料のパッドが緩和して、さらに、歩行時の足関節の背屈運動を促すことで、歩行を補助する機能に加えリハビリ機能及び回復への治癒力を併せ持つことが出来る。
【特許文献１】実用新案登録３０２２２５６参照
【発明の開示】
【発明が解決しようとする課題】
【０００６】  解決しようとする問題点は、頻発する足関節の内反捻挫から生じる前距腓靭帯損傷部を回復させ、歩行時の安定性を確保し歩行を支援する点である。
【課題を解決しようとする手段】
【０００７】  本発明は、伸縮自在の足首保護帯裏面に長手方向に横非伸縮布部を配置し、他端に衝撃吸収材料のパッドを設け端非伸縮布部で被い、足首保護帯に設けた二つの横非伸縮布部と端非伸縮布部間の上部にダーツを入れ、足首保護帯に伸縮自在の足裏保護帯をＴ字に連結し、足裏保護帯のＴ字連結部と、その下端部に二か所の弾力性伸縮材を取り付け足裏保護帯中央部に縦非伸縮布部を設け二か所の弾力性伸縮材の両端を被い、足裏保護帯裏面の端部及び足首保護帯の端部に面ファスナーを設けた背屈運動を促す足関節矯正保護バンドを設けたことを特徴とする。
【発明の効果】
【０００８】  本発明の背屈運動を促す足関節矯正保護バンドは、バンドを伸縮部と固定部に機能分担しずれを防ぎ、足関節の外果・内果の前下方にある前距腓靭帯損傷部を弾力性伸縮材で圧迫保護し、靭帯の延長から生じる腫脹疼痛を和らげ治癒力を高め、足関節の背屈運動を促すことで“つまずき”を防ぎ背屈方向の可動性補助と歩行支援ができるという利点がある。
【発明を実施するための最良の形態】
【０００９】  装具と足関節のずれを防ぎ、足関節の前距腓靭帯損傷部の治癒を促進し、足関節の背屈運動を促すことで背屈方向の可動性補助及び歩行支援を行い、支持性、快適性、動きやすさいう目的を実現した。
【実施例１】
【００１０】  図２は、背屈運動を促す足関節歩行支援バンドの足首保護帯１に設けた衝撃吸収材料のパッド４をアキレス腱に当て、足首保護帯１の一端に面ファスナー１０で接着する。【００１１】  図３に示される実施例では、足裏保護帯２のＴ字連結部７に設けた弾力性伸縮材９を内果（内くるぶし）前方に当て足裏に回し、足裏保護帯２端部の弾力性伸縮材９を外果（外くるぶし）前方の足首保護帯１に面フアスナー１０で接着する。【００１２】  足首保護帯１裏面の長手方向に横非伸縮布部３を配置し、他端に衝撃吸収材料のパッド４を端非伸縮布部５で被い、足首保護帯１に設けた二つの横非伸縮布部３、端非伸縮布部５間の上部にダーツ６を入れた事により、足関節に外傷が生じた場合に、距腿関節（脛骨と腓骨）の前額面の離開を防ぎ靭帯損傷部を解剖学的に適合することが出来る。【００１３】  また、足首の上部が細くて下部が太くなっているので、足首保護帯１に設けた二つの横非伸縮布部３、端非伸縮布部５間の上部にダーツ６を入れた事により装着感やフイット性が良くなる。【００１４】  また、伸縮自在の足首保護帯１裏面に長手方向に横非伸縮布部３を配置し、他端に衝撃吸収材料のパッド４を設け端非伸縮布部５で被った事により、歩行時の体重荷重時に加わるアキレス腱の圧縮を緩和する事も出来る。【００１５】  また、パッド４は足部傷害予防にインソールで利用されている人工筋肉（衝撃吸収材料）といわれる粘弾性高分子化合物を使用した。【００１６】  足首保護帯１に伸縮自在の足裏保護帯２をＴ字に連結し、足裏保護帯２のＴ字状連結部７と、その下端部に二か所の弾力性伸縮材９を取り付けたことにより、バンドを収縮部と固定部に機能分担し、足関節の外果・内果の前下方にある前距腓靭帯損傷部を二カ所の弾力性伸縮材９で圧迫保護し治癒を促進して、足関節の背屈運動を促すことで背屈方向の可動性補助及び歩行支援ができる。【００１７】  足首保護帯１に伸縮自在の足裏保護帯２をＴ字に連結し、足裏保護帯２のＴ字状連結部７と、その下端部に二か所の弾力性伸縮材９を取り付けたので、足首と足裏を一体的に保護し安全性に優れ運動追従性も良い。【００１８】  さらに、歩行中の筋活動を見ると、他の筋群と異なり足関節の背屈筋が下肢筋中で常に休みもなく筋収縮するので足関節背屈筋の機能低下が起こりやすく、足首保護帯１に伸縮自在の足裏保護帯２をＴ字に連結し、足裏保護帯２のＴ字状連結部７と、その下端部に二か所の弾力性伸縮材９を取り付け背屈を促すことにより足関節の背屈筋の機能を改善する事が出来る。【００１９】  足関節の外果・内果の前下方にある前距腓靭帯を二カ所の弾力性伸縮材９で圧迫保護することにより足関節の腫脹や疼痛の軽減効果がある。【００２０】  また、足関節の外果・内果の前下方にある前距腓靭帯損傷部を二カ所の弾力性伸縮材９で圧迫保護することにより、脆弱化した靭帯の延長を防ぎ靭帯の修復を促して関節の支持性を回復するので、頻発する足関節捻挫の後遺症から生じる変形の予防にもなる。【００２１】  また、二カ所の弾力性伸縮材及９び衝撃吸収材料のパッド４の協働により、歩行を補助する機能に加えリハビリ機能及び回復への治癒力を併せ持った足関節矯正用バンドとしても有効である。【００２２】  また、二カ所の弾力性伸縮材９及び衝撃吸収材料のパッド４の協働により、足関節のスプリング機能を高め足関節の圧縮を緩和するので体重の支持及び免荷も可能になる。【００２３】  そして、下肢１０個所の関節可動域の中でも、足関節の背屈及び底屈の可動域の低下（加齢変化）がもっとも著しいことがわかっており、この要素が歩行機能の加齢変化として指摘されている立脚期蹴り出し期の足関節機能の低下と、遊脚期接地直前の足先の高さの低下（つまずき）の原因になると言われているが、内果・外果の前下方に設けた二カ所の弾力性伸縮材９により、足関節の背屈角が増加し歩行時の背屈運動を促すので遊脚期接地直前の足先の高さの低下を防ぎ高齢者の歩行支援を行うことも出来る。
【産業上の利用可能性】
【００２４】  足関節捻挫の保護や捻挫の再発防止を目的で使用され、歩行時の足関節の歩行支援を行い医療、介護、スポーツ分野に適応できる。
【図面の簡単な説明】
【００２５】
【図１】背屈運動を促す足関節矯正保護バンドを示す平面図である。
【図２】背屈運動を促す足関節矯正保護バンドの実施方法を示した側面図である。（実施例１）
【図３】背屈運動を促す足関節矯正保護バンドの実施例を示す背面図である。（実施例２）
【図４】従来の足関節保護装置の装着図である。
【図５】歩行分析を示す平面図である。
【符号の説明】
【００２６】  １  足首保護帯
２  足裏保護帯
３  横非伸縮布部
４  衝撃吸収材料のパッド
５  端非伸縮布部
６  ダーツ
７  Ｔ字連結部
８  縦非伸縮布部
９  弾力性伸縮材
１０  面ファスナー
【図１】
2005087708.tif 000003
【図２】
2005087708.tif 000004
【図３】
2005087708.tif 000005
【図４】
2005087708.tif 000006
【図５】
2005087708.tif 000007